(57)【要約】    【課題】  スクリーン上に迷光や影が投写されることのないプロジェクタを構成することができるプリズム構造体を提供する。    【解決手段】  ３つの液晶装置４００Ｒ，４００Ｇ，４００Ｂと、クロスダイクロイックプリズム５００とが一体化されたプリズム構造体５７０であって、  クロスダイクロイックプリズム５００における３つの光入射面においては、射出側偏光板４３０Ｒ，４３０Ｇ，４３０Ｂと視野角補償板４４６Ｒ，４４６Ｇ，４４６Ｂとの間にに、中央に画像光を通過させる開口部を有するとともに周囲に画像光の周囲からの光を遮断する遮光部を有する遮光部材４４８Ｒ，４４８Ｇ，４４８Ｂが配置されていることを特徴とするプリズム構造体。【選択図】  図３
2006030271.tif 000002
【特許請求の範囲】
【請求項１】
複数の色光を画像情報に応じて変調して画像光を生成する複数の液晶装置と、これら複数の液晶装置で生成された画像光を合成するクロスダイクロイックプリズムとが一体化されたプリズム構造体であって、
前記クロスダイクロイックプリズムの光入射面には、前記液晶装置の射出側偏光板が貼り付けられているとともに、枠状取り付け部材を介して他の光学要素が取り付けられており、
前記クロスダイクロイックプリズムにおける３つの光入射面のうち少なくとも１つの光入射面においては、前記射出側偏光板と前記他の光学要素との間に、中央に画像光を通過させる開口部を有するとともに周囲に画像光の周囲からの光を遮断する遮光部を有する遮光部材が配置されていることを特徴とするプリズム構造体。
【請求項２】
請求項１に記載のプリズム構造体において、
前記遮光部材は、前記枠状取り付け部材の内側に配置されていることを特徴とするプリズム構造体。
【請求項３】
請求項１又は２に記載のプリズム構造体において、
前記遮光部材は、前記開口部が前記射出側偏光板よりも小さく、かつ、前記遮光部の外周部が前記枠状取り付け部材の開口部よりも大きいことを特徴とするプリズム構造体。
【請求項４】
請求項１〜３のいずれかに記載のプリズム構造体において、
前記遮光部材は、前記開口部が前記液晶装置の画像形成領域よりも大きいことを特徴とするプリズム構造体。
【請求項５】
請求項１〜４のいずれかに記載のプリズム構造体において、
前記遮光部材は、金属製、セラミクス製若しくは樹脂製の遮光板又は樹脂製の遮光シートからなることを特徴とするプリズム構造体。
【請求項６】
請求項１〜５のいずれかに記載のプリズム構造体において、
前記他の光学部材は、視野角補償板であることを特徴とするプリズム構造体。
【請求項７】
請求項１〜６のいずれかに記載のプリズム構造体において、
前記クロスダイクロイックプリズムにおける３つの光入射面のうちすべての光入射面において、前記射出側偏光板と前記他の光学要素との間に、前記遮光部材が配置されていることを特徴とするプリズム構造体。
【請求項８】
請求項７に記載のプリズム構造体において、
前記クロスダイクロイックプリズムにおける３つの光入射面のうちすべての光入射面において、前記遮光部材は、前記枠状取り付け部材の内側に配置されていることを特徴とするプリズム構造体。
【請求項９】
請求項７又は８に記載のプリズム構造体において、
前記遮光部材は、前記クロスダイクロイックプリズムにおける３つの光入射面毎に、前記開口部及び／又は遮光部の大きさ及び／又は位置が設定されていることを特徴とするプリズム構造体。
【請求項１０】
請求項７〜９のいずれかに記載のプリズム構造体において、
前記遮光部材は、前記クロスダイクロイックプリズムにおける３つの光入射面毎に、前記開口部及び／又は遮光部の大きさ及び／又は位置を調整するための調整装置が設けられていることを特徴とするプリズム構造体。
【請求項１１】
照明装置と、前記照明装置から射出される照明光を複数の色光に分離する色分離光学系と、前記色分離光学系から射出される複数の色光を画像情報に応じて変調して画像光を生成し、この生成された画像光を合成するプリズム構造体と、このプリズム構造体から射出された画像光を投写する投写光学系とを備えたプロジェクタにおいて、
前記プリズム構造体は請求項１〜１０のいずれかに記載のプリズム構造体であることを特徴とするプロジェクタ。
【発明の詳細な説明】
【技術分野】
【０００１】
本発明は、プリズム構造体及びプロジェクタに関する。
【背景技術】
【０００２】
図４は、プロジェクタの一般的な光学系を示す図である。なお、以下の説明において、ｚ軸は光の進行方法に沿った軸を示し、ｘ軸はｚ軸に垂直で、かつ、図４の紙面に平行な軸を示し、ｙ軸はｚ軸に垂直で、かつ、図４の紙面に垂直な軸を示す。
【０００３】
このプロジェクタ１０００ａは、図４に示すように、照明装置１００と、照明装置１００から射出された光を赤色光、緑色光及び青色光の３つの色光に分離する色分離光学系２００と、色分離光学系２００によって分離された３つの色光を画像情報に応じて変調して画像光を生成する３つの液晶装置４００Ｒ，４００Ｇ，４００Ｂと、これら３つの液晶装置４００Ｒ，４００Ｇ，４００Ｂで生成された画像光を合成するクロスダイクロイックプリズム５００と、クロスダイクロイックプリズム５００によって合成された画像光をスクリーンＳＣＲなどの投写面に投写する投写光学系６００とを備えている。
【０００４】
このプロジェクタ１０００ａにおいては、近年、液晶装置４００Ｒ，４００Ｇ，４００Ｂの構成要素の一部（例えば、液晶パネル、射出側偏光板、視野角補償板など。）とクロスダイクロイックプリズム５００とが一体化されたプリズム構造体５５０が広く用いられるようになっている。
図５は、そのようなプリズム構造体を説明するために示す図である。図５（ａ）はプリズム構造体の構造を示す図であり、図５（ｂ）はプリズム構造体の問題点を示す図である。
【０００５】
プリズム構造体５５０は、図５（ａ）に示すように、液晶パネル４１０Ｒ，４１０Ｇ，４１０Ｂ、射出側偏光板４３０Ｒ，４３０Ｇ，４３０Ｂ及び視野角補償板４４６Ｒ，４４６Ｇ，４４６Ｂが、クロスダイクロイックプリズム５００に一体化されている。なお、図５（ａ）においては、これらの構成要素のうち、緑色光に対応する構成要素のみを示している。
【０００６】
このうち射出側偏光板４３０Ｒ，４３０Ｇ，４３０Ｂは、図５（ａ）に示すように、クロスダイクロイックプリズム５００の光入射面に直接貼り付けられている。また、液晶パネル４１０Ｒ，４１０Ｇ，４１０Ｂは、図示しない取り付けピンによって、クロスダイクロイックプリズム５００の光入射面に取り付けられている。
【０００７】
プリズム構造体５５０においては、視野角補償板４４６Ｒ，４４６Ｇ，４４６Ｂは、図５（ａ）に示すように、液晶パネル４１０Ｒ，４１０Ｇ，４１０Ｂと、射出側偏光板４３０Ｒ，４３０Ｇ，４３０Ｂとの間に配置されている。そして、射出側偏光板４３０Ｒ，４３０Ｇ，４３０Ｂでの発熱の影響を避けるため、視野角補償板４４６Ｒ，４４６Ｇ，４４６Ｂは、射出側偏光板４３０Ｒ，４３０Ｇ，４３０Ｂと接触しないように、射出側偏光板４３０Ｒ，４３０Ｇ，４３０Ｂを取り囲む位置にある枠状取り付け部材４４０Ｒ，４４０Ｇ，４４０Ｂを介してクロスダイクロイックプリズム５００の光入射面に取り付けられている。枠状取り付け部材４４０Ｒ，４４０Ｇ，４４０Ｂは、スペーサー部分４４２Ｒ，４４２Ｇ，４４２Ｂ及び取り付け枠部分４４４Ｒ，４４４Ｇ，４４４Ｂからなっている。
【０００８】
このようなプロジェクタ１０００ａにおいては、射出側偏光板４３０Ｒ，４３０Ｇ，４３０Ｂとスペーサー部分４４２Ｒ，４４２Ｇ，４４２Ｂとの間にある隙間から光が漏れてしまい、図５（ｂ）に示すように、スクリーンＳＣＲ上に迷光Ｍが投写されるという問題があった。この迷光Ｍは、映画観賞用等のプロジェクタにおいて大きな問題となる。
【０００９】
従来、このようなスクリーン上での迷光の投写を防止するためのプロジェクタが提案されている。図６は、このような従来のプロジェクタにおけるプリズム構造体の斜視図である。図７は、従来のプロジェクタにおけるプリズム構造体を説明するために示す図である。図７（ａ）はプリズム構造体の構造を示す図であり、図７（ｂ）はプリズム構造体の遮光機能を示す図である。
【００１０】
従来のプロジェクタにおけるプリズム構造体５５０ａにおいては、図６及び図７（ａ）に示すように、液晶装置４００ａＲ，４００ａＧ，４００ａＢとクロスダイクロイックプリズム５００ａとの間の隙間から投写光学系６００ａ（図示せず。）側に漏れる光を遮光する遮光部材８１０が、クロスダイクロイックプリズム５００ａの光射出面側に配置されている。このため、従来のプリズム構造体５５０ａによれば、図７（ａ）及び図７（ｂ）に示すように、遮光部材８１０の働きによって、液晶装置４００ａＲ，４００ａＧ，４００ａＢとクロスダイクロイックプリズム５００ａとの間の隙間から投写光学系６００ａ（図示せず。）側に漏れる光を遮光することができる（例えば、特許文献１参照。）。
【００１１】
しかしながら、従来のプロジェクタにおけるプリズム構造体５５０ａにおいては、遮光部材８１０がクロスダイクロイックプリズム５００ａの光射出面側に形成されているため、迷光Ｍを十分に遮光するためには遮光部材８１０をある程度以上の大きさに形成する必要がある。このため、図７（ｂ）に示すように、遮光部材８１０の影がスクリーンＳＣＲ上に表示されてしまい、画像品質が低下するという問題があった。
【００１２】
図８は、従来の他のプロジェクタにおけるプリズム構造体を説明するために示す図である。図８（ａ）はプリズム構造体の構造を示す図であり、図８（ｂ）はプリズム構造体の遮光機能を示す図である。図９は、従来の他のプロジェクタにおけるプリズム構造体の問題点を説明するために示す図である。
【００１３】
従来の他のプロジェクタにおけるプリズム構造体５５０ｂにおいては、図８（ａ）に示すように、液晶装置４００ｂＲ，４００ｂＧ，４００ｂＢの周辺を通過して投写光学系６００ｂ側に漏れる迷光を遮光する遮光部材９２０が、液晶装置４００ｂＲ，４００ｂＧ，４００ｂＢのクロスダイクロイックプリズム５００ｂ側におけるクロスダイクロイックプリズム５００ｂの縁部よりも光軸寄りに配置されている。このため、従来のプリズム構造体５５０ｂによれば、遮光部材９２０の働きによって、液晶装置４００ｂＲ，４００ｂＧ，４００ｂＢの周辺を通過して投写光学系６００ｂ側に漏れる迷光を遮光することができる（例えば、特許文献２参照。）。
【００１４】
【特許文献１】特開２００１−２０１７９４号公報（図９及び図１２）
【特許文献２】特開２００３−２５５３１０号公報（図２）
【発明の開示】
【発明が解決しようとする課題】
【００１５】
しかしながら、従来のプロジェクタにおけるプリズム構造体５５０ｂにおいては、図９に示すように、クロスダイクロイックプリズム５００ｂの端部に入射する光Ｌ１は遮光部材９２０により遮光されるが、クロスダイクロイックプリズム５００ｂの端部より内側に入射する光Ｌ２は遮光部材９２０で遮光されないため、図５で説明した、スクリーンＳＣＲ上で迷光Ｍが投写されるという問題を解決することはできないという問題点があった。
【００１６】
そこで、本発明は、スクリーン上に迷光や影が投写されることのないプロジェクタを構成することができるプリズム構造体を提供することを目的とする。さらにまた、本発明は、スクリーン上に迷光や影が投写されることのないプロジェクタを提供することを目的とする。
【課題を解決するための手段】
【００１７】
本発明のプリズム構造体は、複数の色光を画像情報に応じて変調して画像光を生成する複数の液晶装置と、これら複数の液晶装置で生成された画像光を合成するクロスダイクロイックプリズムとが一体化されたプリズム構造体であって、前記クロスダイクロイックプリズムの光入射面には、前記液晶装置の射出側偏光板が貼り付けられているとともに、枠状取り付け部材を介して他の光学要素が取り付けられており、前記クロスダイクロイックプリズムにおける３つの光入射面のうち少なくとも１つの光入射面においては、前記射出側偏光板と前記他の光学要素との間に、中央に画像光を通過させる開口部を有するとともに周囲に画像光の周囲からの光を遮断する遮光部を有する遮光部材が配置されていることを特徴とする。
【００１８】
このため、本発明のプリズム構造体によれば、遮光部材がクロスダイクロイックプリズムの光入射面側に配置されているため、遮光部材がクロスダイクロイックプリズムの光射出面側に配置されている場合と比べて、遮光部材の大きさを小さくすることができる。このため、遮光部材の影がスクリーン上に表示されてしまうことを抑制することができる。
【００１９】
また、本発明のプリズム構造体によれば、遮光部材が射出側偏光板と他の光学要素との間に配置されているため、クロスダイクロイックプリズムの端部より内側から入射する光のうち他の光学要素側から入射する光を遮光することができるため、スクリーン上で迷光が投写されてしまうことを抑制することができる。
【００２０】
その結果、本発明のプリズム構造体をプロジェクタに用いることにより、スクリーン上に迷光や影が投写されることが抑制されたプロジェクタを構成することができ、本発明の目的が達成される。
【００２１】
この場合、クロスダイクロイックプリズムにおける３つの光入射面のうち少なくとも１つの光入射面としては、緑の画像光が入射する光入射面を選択することが好ましい。緑色光に起因する迷光や影がスクリーン上に投写されると、他の色光に起因する迷光や影がスクリーン上に投写されるよりも非常に目障りであるため、緑の画像光が入射する光入射面に上記のような遮光部材を配置するのが効果的だからである。
【００２２】
本発明のプリズム構造体においては、前記遮光部材は、前記枠状取り付け部材の内側に配置されていることが好ましい。
【００２３】
このように構成することにより、遮光部材が枠状取り付け部材の内側に配置されているため、クロスダイクロイックプリズムの端部より内側に入射する光を効果的に遮光することができるため、スクリーン上で迷光が投写されてしまうことを抑制することができる。  また、遮光部材を枠状取り付け部材の内形寸法より少し小さな外形寸法のものとすることにより、枠状取り付け部材をクロスダイクロイックプリズムに取り付ける際に、遮光部材を枠状取り付け部材の内側に落とし込むだけで、遮光部材を枠状取り付け部材の内側に固定することができるようになる。
【００２４】
本発明のプリズム構造体においては、前記遮光部材は、前記開口部が前記射出側偏光板よりも小さく、かつ、前記遮光部の外周部が前記枠状取り付け部材の開口部よりも大きいことが好ましい。
【００２５】
このように構成することにより、この遮光部材が、射出側偏光板と枠状取り付け部材との隙間から漏れてくる迷光を効果的に遮断することができるようになり、スクリーン上に迷光が投写されるのをさらに効果的に抑制することができる。
【００２６】
本発明のプリズム構造体においては、前記遮光部材は、前記開口部が前記液晶装置の画像形成領域よりも大きいことが好ましい。
【００２７】
このように構成することにより、この遮光部材が、画像光を遮光することがなくなり、スクリーン上に影が投写されるのをさらに効果的に抑制することができる。この場合、開口部の大きさを液晶装置の画像形成領域の大きさに極力近づけることにより、スクリーン上に影が投写されるのを抑制しつつ、スクリーン上に迷光が投写されるのをさらに効果的に抑制することができる。
【００２８】
本発明のプリズム構造体においては、前記遮光部材は、金属製、セラミクス製若しくは樹脂製の遮光板又は樹脂製の遮光シートからなることが好ましい。
【００２９】
このように構成することにより、遮光部材を枠状取り付け部材の内側に容易に配置することができるようになる。
【００３０】
本発明のプリズム構造体においては、前記他の光学部材は、視野角補償板であることが好ましい。
【００３１】
このように構成することにより、視野角補償板を備えた広視野角のプロジェクタにおいて、スクリーン上に迷光や影が投写されることが抑制されたプロジェクタを構成することができる。
【００３２】
本発明のプリズム構造体においては、前記クロスダイクロイックプリズムにおける３つの光入射面のうちすべての光入射面において、前記射出側偏光板と前記他の光学要素との間に、前記遮光部材が配置されていることが好ましい。
【００３３】
このように構成することにより、クロスダイクロイックプリズムにおけるすべての光入射面に上記のような遮光部材が配置されているため、スクリーン上に迷光や影が投写されることをさらに効果的に防止することができる。
【００３４】
本発明のプリズム構造体においては、前記クロスダイクロイックプリズムにおける３つの光入射面のうちすべての光入射面において、前記遮光部材は、前記枠状取り付け部材の内側に配置されていることが好ましい。
【００３５】
このように構成することにより、クロスダイクロイックプリズムにおけるすべての光入射面において、本発明の効果が得られるようになる。
【００３６】
本発明のプリズム構造体においては、前記遮光部材は、前記クロスダイクロイックプリズムにおける３つの光入射面毎に、前記開口部及び／又は遮光部の大きさ及び／又は位置が設定されていることが好ましい。
【００３７】
このように構成することにより、スクリーン上に投写される迷光や影が投写されるのをよりきめ細かく抑制することができる。
【００３８】
本発明のプリズム構造体においては、前記遮光部材は、前記クロスダイクロイックプリズムにおける３つの光入射面毎に、前記開口部及び／又は遮光部の大きさ及び／又は位置を調整するための調整装置が設けられていることが好ましい。
【００３９】
このように構成することにより、調整手段を用いることによって、スクリーン上に投写される迷光や影が投写されるのをよりきめ細かく抑制することができる。また、プロジェクタの製造後に遮光部材の位置ずれ等が生じてスクリーン上に迷光が投写されるようになったとしても、調整手段を用いてスクリーン上に迷光が投写されるのを抑制することができる。
【００４０】
本発明のプロジェクタは、照明装置と、前記照明装置から射出される照明光を複数の色光に分離する色分離光学系と、前記色分離光学系から射出される複数の色光を画像情報に応じて変調して画像光を生成し、この生成された画像光を合成するプリズム構造体と、このプリズム構造体から射出された画像光を投写する投写光学系とを備えたプロジェクタにおいて、前記プリズム構造体は本発明のプリズム構造体であることを特徴とする。
【００４１】
このため、本発明のプロジェクタによれば、プリズム構造体として、上記した本発明のプリズム構造体を用いているため、スクリーン上に迷光や影が投写されることが抑制された優れたプロジェクタを構成することができる。
【発明を実施するための最良の形態】
【００４２】
以下、本発明のプリズム構造体及びプロジェクタについて、図に示す実施の形態に基づいて説明する。
【００４３】
〔実施形態１〕
図１は、実施形態１に係るプリズム構造体を説明するために示す図である。図１（ａ）はプリズム構造体の側面図であり、図１（ｂ）は図１（ａ）のＡ１−Ａ１に沿った部分断面図であり、図１（ｃ）は図１（ａ）のＡ２−Ａ２に沿った部分断面図である。図２は、実施形態１に係るプリズム構造体を説明するために示す図である。図２（ａ）はプリズム構造体の構造を示す図であり、図２（ｂ）はプリズム構造体の遮光機能を示す図である。
【００４４】
実施形態１に係るプリズム構造体５６０（図１及び図２（ａ）に図示。）は、図４に示す従来のプロジェクタの場合と同様に、赤色光、緑色光及び青色光の３つの色光を画像情報に応じて変調して画像光を生成する３つの液晶装置４００Ｒ，４００Ｇ，４００Ｂと、これら３つの液晶装置４００Ｒ，４００Ｇ，４００Ｂで生成された画像光を合成するクロスダイクロイックプリズム５００とが一体化されたプリズム構造体である。
【００４５】
クロスダイクロイックプリズム５００の光入射面には、図１（ａ）〜図１（ｃ）及び図２（ａ）に示すように、液晶装置４００Ｒ，４００Ｇ，４００Ｂの射出側偏光板４３０Ｒ，４３０Ｇ，４３０Ｂが貼り付けられているとともに、射出側偏光板４３０Ｒ，４３０Ｇ，４３０Ｂの周囲を取り囲むように設けられた枠状取り付け部材４４０Ｒ，４４０Ｇ，４４０Ｂを介して視野角補償板４４６Ｒ，４４６Ｇ，４４６Ｂが取り付けられている。枠状取り付け部材４４０Ｒ，４４０Ｇ，４４０Ｂは、スペーサー部分４４２Ｒ，４４２Ｇ，４４２Ｂ及び取り付け枠部分４４４Ｒ，４４４Ｇ、４４４Ｂからなっている。
【００４６】
そして、クロスダイクロイックプリズム５００における３つの光入射面のうち緑の画像光が入射する光入射面においては、図１（ａ）〜図１（ｃ）及び図２（ａ）に示すように、射出側偏光板４３０Ｇと視野角補償板４４６Ｇとの間の、枠状取り付け部材４４０Ｇの内側に、中央に画像光を通過させる開口部を有するとともに周囲に画像光の周囲からの光を遮断する遮光部を有する遮光部材４４８Ｇが配置されている。
【００４７】
なお、図１（ａ）〜図１（ｃ）においては、射出側偏光板４３０Ｒ，４３０Ｇ，４３０Ｂ、スペーサー部分４４２Ｒ，４４２Ｇ，４４２Ｂ、取り付け枠部分４４４Ｒ，４４４Ｇ，４４４Ｂ、視野角補償板４４６Ｒ，４４６Ｇ，４４６Ｂのうち緑色光が入射する光入射面に設けられた射出側偏光板４３０Ｇ、スペーサー部分４４２Ｇ、取り付け枠部分４４４Ｇ、視野角補償板４４６Ｇのみを示している。
【００４８】
このように構成された実施形態１に係るプリズム構造体５６０によれば、遮光部材４４８Ｇがクロスダイクロイックプリズム５００の光入射面側に配置されているため、遮光部材４４８Ｇがクロスダイクロイックプリズム５００の光射出面側に配置されている場合と比べて、遮光部材の大きさを小さくすることができる。このため、図２（ｂ）に示すように、遮光部材４４８Ｇの影がスクリーンＳＣＲ上に表示されてしまうことを抑制することができる。
【００４９】
また、実施形態１に係るプリズム構造体５６０によれば、遮光部材４４８Ｇが射出側偏光板４３０Ｇと視野角補償板４４６Ｇとの間に配置されているため、図２（ｂ）に示すように、クロスダイクロイックプリズム５００の端部より内側から入射する光のうち視野角補償板４４６Ｇ側から入射する光を遮光することができるため、スクリーンＳＣＲ上で迷光が投写されてしまうことを抑制することができる。
【００５０】
その結果、実施形態１に係るプリズム構造体５６０をプロジェクタに用いることにより、スクリーンＳＣＲ上に迷光や影が投写されることが抑制されたプロジェクタを構成することができる。
【００５１】
また、実施形態１に係るプリズム構造体５６０によれば、遮光部材４４８Ｇが枠状取り付け部材４４０Ｇの内側に配置されているため、クロスダイクロイックプリズム５５０の端部より内側に入射する光を効果的に遮光することができる。このため、スクリーンＳＣＲ上で迷光が投写されてしまうことをさらに効果的に抑制することができる。
また、遮光部材４４８Ｇを枠状取り付け部材４４０Ｇの内形寸法より少し小さな外形寸法のものとすることにより、枠状取り付け部材４４０Ｇをクロスダイクロイックプリズム５００に取り付ける際に、遮光部材４４８Ｇを枠状取り付け部材４４０Ｇの内側に落とし込むだけで、遮光部材４４８Ｇを枠状取り付け部材４４０Ｇの内側に固定することができるようになる。
【００５２】
実施形態１に係るプリズム構造体５６０においては、緑の画像光が入射する光入射面に対して、遮光部材４４８Ｇを配置することとしている。緑色光に起因する迷光や影がスクリーン上に投写されると非常に目障りであるが、実施形態１に係るプリズム構造体５６０のように、緑の画像光が入射する光入射面に遮光部材４４８Ｇが配置されていると、スクリーンＳＣＲ上に緑色光に起因する迷光や影が投写されることが抑制され、大きな画質改善効果が得られる。
【００５３】
実施形態１に係るプリズム構造体５６０においては、図１（ａ）〜図１（ｃ）に示すように、遮光部材４４８Ｇは、開口部が射出側偏光板４３０Ｇよりも小さく、かつ、遮光部の外周部が枠状取り付け部材４４０Ｇの開口部よりも大きい。
【００５４】
このため、遮光部材４４８Ｇが、射出側偏光板４３０Ｇと枠状取り付け部材４４０Ｇとの隙間から漏れてくる迷光を効果的に遮断することができるようになり、スクリーンＳＣＲ上に迷光が投写されるのをさらに効果的に抑制することができる。
【００５５】
実施形態１に係るプリズム構造体５６０においては、遮光部材４４８Ｇは、開口部が液晶装置４００Ｇの画像形成領域よりも大きい。
【００５６】
このため、遮光部材４４８Ｇが、画像光を遮光することがなくなり、スクリーンＳＣＲ上に影が投写されるのをさらに効果的に抑制することができる。この場合、開口部の大きさを液晶装置４００Ｇの画像形成領域の大きさに極力近づけることにより、スクリーンＳＣＲ上に影が投写されるのを抑制しつつ、スクリーンＳＣＲ上に迷光が投写されるのをさらに効果的に抑制することができる。
【００５７】
実施形態１に係るプリズム構造体５６０においては、遮光部材４４８Ｇは、金属製の遮光板からなる。このため、遮光部材４４８Ｇを取り付け枠部分４４４Ｇの内側に容易に配置することができるようになる。
【００５８】
〔実施形態２〕
図３は、実施形態２に係るプリズム構造体を説明するために示す図である。図３（ａ）はプリズム構造体の構造を示す図であり、図３（ｂ）はプリズム構造体の遮光機能を示す図である。
【００５９】
実施形態２に係るプリズム構造体５７０においては、図３（ａ）に示すように、クロスダイクロイックプリズム５００における３つの光入射面のうちすべての光入射面において、遮光部材４４８Ｒ，４４８Ｇ，４４８Ｂが、射出側偏光板４３０Ｒ，４３０Ｇ，４３０Ｂと視野角補償板４４６Ｒ，４４６Ｇ，４４６Ｂとの間の、枠状取り付け部材４４０Ｒ，４４０Ｇ，４４０Ｂの内側に配置されている。
【００６０】
このため、実施形態２に係るプリズム構造体５７０によれば、クロスダイクロイックプリズム５００におけるすべての光入射面に遮光部材４４８Ｒ，４４８Ｇ，４４８Ｂが配置されているため、図３（ｂ）に示すように、スクリーンＳＣＲ上に迷光や影が投写されることをさらに効果的に防止することができる。
【００６１】
実施形態２に係るプリズム構造体５７０においては、遮光部材４４８Ｒ，４４８Ｇ，４４８Ｂは、クロスダイクロイックプリズム５００における３つの光入射面毎に、開口部及び／又は遮光部の大きさ及び／又は位置が適切に設定されている。
【００６２】
このため、スクリーンＳＣＲ上に投写される迷光や影が投写されるのをよりきめ細かく抑制することができる。
【００６３】
以上、本発明のプリズム構造体及びプロジェクタを上記の各実施形態に基づいて説明したが、本発明は上記の各実施形態に限られるものではなく、その要旨を逸脱しない範囲において種々の態様において実施することが可能であり、例えば次のような変形も可能である。 
【００６４】
（１）実施形態１に係るプリズム構造体５６０においては、遮光部材４４８Ｇとして、金属製の遮光板を用いたが、本発明はこれに限られず、例えば、セラミクス製の遮光板、樹脂製の遮光板、樹脂製の遮光シートなどを用いることもできる。
【００６５】
（２）実施形態２に係るプリズム構造体５７０においては、遮光部材として、クロスダイクロイックプリズム５００における３つの光入射面毎に、開口部及び／又は遮光部の大きさ及び／又は位置が適切に設定されている遮光部材を用いたが、本発明はこれにとどまらず、遮光部材として、クロスダイクロイックプリズム５００における３つの光入射面毎に、開口部及び／又は遮光部の大きさ及び／又は位置を調整するための調整装置が設けられている遮光部材を用いることもできる。
【００６６】
この場合、調整手段を用いることによって、スクリーン上に投写される迷光や影が投写されるのをよりきめ細かく抑制することができる。また、プロジェクタの製造後に遮光部材の位置ずれ等が生じてスクリーン上に迷光が投写されるようになったとしても、調整手段を用いてスクリーン上に迷光が投写されるのを抑制することができる。
【図面の簡単な説明】
【００６７】
【図１】実施形態１に係るプリズム構造体を説明するために示す図。
【図２】実施形態１に係るプリズム構造体を説明するために示す図。
【図３】実施形態２に係るプリズム構造体を説明するために示す図。
【図４】プロジェクタの一般的な光学系を示す図である。
【図５】プロジェクタにおける問題点を説明するために示す図。
【図６】従来のプロジェクタにおけるプリズム構造体の斜視図。
【図７】従来のプロジェクタにおけるプリズム構造体を説明するために示す図。
【図８】従来の他のプロジェクタにおけるプリズム構造体を説明するために示す図。
【図９】従来の他のプロジェクタにおけるプリズム構造体の問題点を説明するために示す図。
【符号の説明】
【００６８】
１０００，１０００ａ…プロジェクタ、１００…照明装置、１１０…光源装置、１１２…発光管、１１４…楕円面リフレクタ、１１６…補助ミラー、１１８…平行化レンズ、１２０…第１レンズアレイ、１３０…第２レンズアレイ、１４０…偏光変換素子、１５０…重畳レンズ、２００…色分離光学系、３００…リレー光学系、４００Ｒ，４００Ｇ，４００Ｂ、４００ａＲ，４００ａＧ，４００ａＢ、４００ｂＲ，４００ｂＧ，４００ｂＢ…液晶装置、４１０Ｒ，４１０Ｇ，４１０Ｂ…液晶パネル、４３０Ｒ，４３０Ｇ，４３０Ｂ…射出側偏光板、４４０Ｒ，４４０Ｇ，４４０Ｂ…枠状取り付け部材、４４２Ｒ，４４２Ｇ，４４２Ｂ…スペーサー部分、４４４Ｒ，４４４Ｇ，４４４Ｂ…取り付け枠部分、４４６Ｒ，４４６Ｇ，４４６Ｂ…視野角補償板、４４８Ｒ，４４８Ｇ，４４８Ｂ…遮光板、５００，５００ａ，５００ｂ…クロスダイクロイックプリズム、５１０ｂ…クロスダイクロイックプリズムの端部、６００，６００ａ，６００ｂ…投写光学系、８１０…遮光部材、９１０…収納壁、９２０…遮光部材、９３０…ケーシング
【図４】
2006030271.tif 000003
【図６】
2006030271.tif 000004
【図８】
2006030271.tif 000005
【図１】
2006030271.tif 000006
【図２】
2006030271.tif 000007
【図３】
2006030271.tif 000008
【図５】
2006030271.tif 000009
【図７】
2006030271.tif 000010
【図９】
2006030271.tif 000011